(57)【要約】【課題】短距離無線通信が可能なオーディオ機器であっても、遠距離の機器に楽曲やＡＶのデータ配信が可能な楽曲データ配信システムを提供する。【解決手段】電話回線を用いて遠隔の通信機器例えば携帯電話機２と通話を行っている携帯端末例えば携帯電話機１の利用者が、楽曲等を再生するオーディオ機器１０の電源をオンした際に、機器検出部１０ａで短距離無線通信方式例えばＢｌｕｅｔｏｏｔｈ通信方式による無線通信範囲内の近傍に携帯電話機１が存在することを検出し、当該携帯電話機１が楽曲やＡＶのデータを転送すべき携帯端末としてあらかじめ登録されていることを機器照合部１０ｂで判別した場合、オーディオ機器１０から携帯電話機１へ通信ポート１１を介してＢｌｕｅｔｏｏｔｈ通信方式により楽曲やＡＶのデータを転送することによって、オーディオ機器１０から転送されてきたデータを携帯電話機１から電話回線を介して遠隔の携帯電話機２へ配信する。【選択図】        図１
2010032941.tif 000002
【特許請求の範囲】
【請求項１】
楽曲を再生するオーディオ機器および電話回線を介して遠隔の通信機器と通信を行う携帯端末からなる楽曲データ配信システムであって、前記オーディオ機器と前記携帯端末とが、短距離無線通信方式により無線接続される通信ポートを備え、前記オーディオ機器から前記携帯端末へ前記通信ポートを介して短距離無線通信方式による無線通信により楽曲データまたはＡＶデータを転送することによって、転送されてきた前記楽曲データまたは前記ＡＶデータを前記携帯端末から電話回線を介して遠隔の前記通信機器へ配信することを特徴とする楽曲データ配信システム。
【請求項２】
前記オーディオ機器は、楽曲データまたはＡＶデータを転送すべき携帯端末をあらかじめ登録し、短距離無線通信方式による無線通信範囲内に、前記オーディオ機器にあらかじめ登録されている前記携帯端末を検出した場合に、楽曲データまたはＡＶデータを当該携帯端末へ転送することを特徴とする請求項１に記載の楽曲データ配信システム。
【請求項３】
前記楽曲データまたは前記ＡＶデータを前記携帯端末から遠隔の前記通信機器へ電話回線を介して配信する楽曲配信形式として、音声信号またはＡＶ信号、あるいは、メールに添付した楽曲データファイルまたはＡＶデータファイルのいずれかの形式によって配信することを特徴とする請求項１または２に記載の楽曲データ配信システム。
【請求項４】
遠隔の前記通信機器が、携帯端末または固定電話機から、あるいは、携帯端末または固定電話機および該携帯端末または固定電話機と短距離無線通信方式により無線接続されることが可能なオーディオ機器から構成され、配信されてきた前記楽曲データまたは前記ＡＶデータを、当該携帯端末または固定電話機により、または、当該携帯端末または固定電話機に無線接続された前記オーディオ機器により再生出力することを特徴とする請求項１ないし３のいずれかに記載の楽曲データ配信システム。
【請求項５】
前記短距離無線通信方式が、Ｂｌｕｅｔｏｏｔｈ(登録商標)通信方式であることを特徴とする請求項１ないし４のいずれかに記載の楽曲データ配信システム。
【請求項６】
楽曲を再生するオーディオ機器および電話回線を介して遠隔の通信機器と通信を行う携帯端末からなり、楽曲データまたはＡＶデータを前記オーディオ機器から遠隔の前記通信機器へ配信する楽曲データ配信方法であって、前記オーディオ機器と前記携帯端末とに備えられている短距離無線通信方式準拠の通信ポートを介して、前記オーディオ機器から前記携帯端末へ短距離無線通信方式による無線通信により楽曲データまたはＡＶデータを転送することによって、転送されてきた前記楽曲データまたは前記ＡＶデータを前記携帯端末から電話回線を介して遠隔の前記通信機器へ配信することを特徴とする楽曲データ配信方法。
【請求項７】
前記オーディオ機器は、楽曲データまたはＡＶデータを転送すべき携帯端末をあらかじめ登録し、短距離無線通信方式による無線通信範囲内に、前記オーディオ機器にあらかじめ登録されている前記携帯端末を検出した場合に、楽曲データまたはＡＶデータを当該携帯端末へ転送することを特徴とする請求項６に記載の楽曲データ配信方法。
【請求項８】
前記楽曲データまたは前記ＡＶデータを前記携帯端末から遠隔の前記通信機器へ電話回線を介して配信する楽曲配信形式として、音声信号またはＡＶ信号、あるいは、メールに添付した楽曲データファイルまたはＡＶデータファイルのいずれかの形式によって配信することを特徴とする請求項６または７に記載の楽曲データ配信方法。
【請求項９】
遠隔の前記通信機器が、携帯端末または固定電話機から、あるいは、携帯端末または固定電話機および該携帯端末または固定電話機と短距離無線通信方式により無線接続されることが可能なオーディオ機器から構成され、配信されてきた前記楽曲データまたは前記ＡＶデータを、当該携帯端末または固定電話機により、または、当該携帯端末または固定電話機に無線接続された前記オーディオ機器により再生出力することを特徴とする請求項６ないし８のいずれかに記載の楽曲データ配信方法。
【発明の詳細な説明】
【技術分野】
【０００１】
本発明は、楽曲データ配信システムおよび楽曲データ配信方法に関し、特に、Ｂｌｕｅｔｏｏｔｈ（登録商標）通信方式に代表される短距離無線通信方式を用いた楽曲データ配信システムおよび楽曲データ配信方法に関する。
【背景技術】
【０００２】
従来より、Ｂｌｕｅｔｏｏｔｈ（登録商標）と称される短距離無線通信方式を利用して、近距離の無線通信を行う通信形態が各種提案されている。例えば、特許文献１の特開２００７−２５１７４５号公報「ハンズフリー電話装置」や特許文献２の特開２００４−１４０７３１号公報「車載用ハンズフリー電話装置」などにおいては、図４に示すように、車内に設置する車載機４０に、スピーカ４２やマイク４３の他に、Ｂｌｕｅｔｏｏｔｈ通信方式１ａに準拠した通信ポート４１を搭載し、該通信ポート４１に携帯電話機１を無線接続することによって、携帯電話機１をハンズフリーで使用して車外の携帯電話機２や固定電話機と通話を行うことができる仕組みを提案している。図４は、Ｂｌｕｅｔｏｏｔｈ通信方式を用いた従来の通信形態の一例を示す接続構成図であり、携帯電話機と車載機とをＢｌｕｅｔｏｏｔｈ通信方式によって無線接続して、ハンズフリー通話を可能としている例を示している。
【０００３】
つまり、図４においては、運転者が、携帯電話機１を用いて車外の携帯電話機２や固定電話機と通話を行う場合、Ｂｌｕｅｔｏｏｔｈ通信方式を用いて無線接続されている車両内の車載機４０を、運転者が操作することにより、携帯電話機１と通話相手の車外の携帯電話機２や固定電話機との間の電話回線が確立されて、車載機４０に接続された送話用のマイク４３と受話用のスピーカ４２とを用いて、通話相手とハンズフリー通話を行うことができるように構成されている。
【０００４】
また、特許文献３の特開２００４−３６１８３８号公報「曲情報伝達方法と音楽データ送信装置および音楽データ受信装置」には、図５に示すように、Ｂｌｕｅｔｏｏｔｈ通信方式１ａを利用して、或るオーディオ機器５０から近距離にある別のオーディオ機器４０Ａに対して、楽曲データを転送して、別のオーディオ機器４０Ａのスピーカ４２から楽曲を再生することができるとともに、楽曲データの他に、曲情報データを伝達し、別のオーディオ機器４０Ａの表示部４４に表示することができる仕組みが提案されている。図５は、Ｂｌｕｅｔｏｏｔｈ通信方式を用いた従来の通信形態の他の例を示す接続構成図であり、２台のオーディオ機器をＢｌｕｅｔｏｏｔｈ通信方式によって無線接続して、一方のオーディオ機器に蓄積されている楽曲データを他方のオーディオ機器に転送して他方のオーディオ機器にて再生することを可能としている例を示している。
【特許文献１】特開２００７−２５１７４５号公報（第４−５頁）
【特許文献２】特開２００４−１４０７３１号公報（第４−６頁）
【特許文献３】特開２００４−３６１８３８号公報（第８−１０頁）
【発明の開示】
【発明が解決しようとする課題】
【０００５】
従来は、前記特許文献３に記載のように、Ｂｌｕｅｔｏｏｔｈ通信方式を利用して、近距離のオーディオ機器間で楽曲を配信することはできたが、遠距離にある楽曲設備へ楽曲配信を手軽に行うことができなかった。
【０００６】
本発明は、Ｂｌｕｅｔｏｏｔｈ通信方式に代表されるような近距離で無線通信を行うことができる短距離無線通信方式を利用して、遠く離れた場所にある機器に対しても楽曲配信を行うことを可能とする楽曲データ配信システムおよび楽曲データ配信方法を提供することを、その目的としている。
【課題を解決するための手段】
【０００７】
前述の課題を解決するため、本発明による楽曲データ配信システムおよび楽曲データ配信方法は、次のような特徴的な構成を採用している。
【０００８】
（１）楽曲を再生するオーディオ機器および電話回線を介して遠隔の通信機器と通信を行う携帯端末からなる楽曲データ配信システムであって、前記オーディオ機器と前記携帯端末とが、短距離無線通信方式により無線接続される通信ポートを備え、前記オーディオ機器から前記携帯端末へ前記通信ポートを介して短距離無線通信方式による無線通信により楽曲データまたはＡＶデータを転送することによって、転送されてきた前記楽曲データまたは前記ＡＶデータを前記携帯端末から電話回線を介して遠隔の前記通信機器へ配信する楽曲データ配信システム。
（２）前記オーディオ機器は、楽曲データまたはＡＶデータを転送すべき携帯端末をあらかじめ登録し、短距離無線通信方式による無線通信範囲内に、前記オーディオ機器にあらかじめ登録されている前記携帯端末を検出した場合に、楽曲データまたはＡＶデータを当該携帯端末へ転送する上記（１）の楽曲データ配信システム。
（３）前記楽曲データまたは前記ＡＶデータを前記携帯端末から遠隔の前記通信機器へ電話回線を介して配信する楽曲配信形式として、音声信号またはＡＶ信号、あるいは、メールに添付した楽曲データファイルまたはＡＶデータファイルのいずれかの形式によって配信する上記（１）または（２）の楽曲データ配信システム。
（４）遠隔の前記通信機器が、携帯端末または固定電話機から、あるいは、携帯端末または固定電話機および該携帯端末または固定電話機と短距離無線通信方式により無線接続されることが可能なオーディオ機器から構成され、配信されてきた前記楽曲データまたは前記ＡＶデータを、当該携帯端末または固定電話機により、または、当該携帯端末または固定電話機に無線接続された前記オーディオ機器により再生出力する上記（１）ないし（３）のいずれかの楽曲データ配信システム。
（５）前記短距離無線通信方式が、Ｂｌｕｅｔｏｏｔｈ(登録商標)通信方式である上記（１）ないし（４）のいずれかの楽曲データ配信システム。
（６）楽曲を再生するオーディオ機器および電話回線を介して遠隔の通信機器と通信を行う携帯端末からなり、楽曲データまたはＡＶデータを前記オーディオ機器から遠隔の前記通信機器へ配信する楽曲データ配信方法であって、前記オーディオ機器と前記携帯端末とに備えられている短距離無線通信方式準拠の通信ポートを介して、前記オーディオ機器から前記携帯端末へ短距離無線通信方式による無線通信により楽曲データまたはＡＶデータを転送することによって、転送されてきた前記楽曲データまたは前記ＡＶデータを前記携帯端末から電話回線を介して遠隔の前記通信機器へ配信する楽曲データ配信方法。
（７）前記オーディオ機器は、楽曲データまたはＡＶデータを転送すべき携帯端末をあらかじめ登録し、短距離無線通信方式による無線通信範囲内に、前記オーディオ機器にあらかじめ登録されている前記携帯端末を検出した場合に、楽曲データまたはＡＶデータを当該携帯端末へ転送する上記（６）の楽曲データ配信方法。
（８）前記楽曲データまたは前記ＡＶデータを前記携帯端末から遠隔の前記通信機器へ電話回線を介して配信する楽曲配信形式として、音声信号またはＡＶ信号、あるいは、メールに添付した楽曲データファイルまたはＡＶデータファイルのいずれかの形式によって配信する上記（６）または（７）の楽曲データ配信方法。
（９）遠隔の前記通信機器が、携帯端末または固定電話機から、あるいは、携帯端末または固定電話機および該携帯端末または固定電話機と短距離無線通信方式により無線接続されることが可能なオーディオ機器から構成され、配信されてきた前記楽曲データまたは前記ＡＶデータを、当該携帯端末または固定電話機により、または、当該携帯端末または固定電話機に無線接続された前記オーディオ機器により再生出力する上記（６）ないし（８）のいずれかの楽曲データ配信方法。
【発明の効果】
【０００９】
本発明の楽曲データ配信システムおよび楽曲データ配信方法によれば、以下のような効果を得ることができる。
【００１０】
本発明により、Ｂｌｕｅｔｏｏｔｈ通信方式に代表される短距離無線通信方式に対応するオーディオ機器と携帯電話機とがあれば、オーディオ機器によって現在鑑賞している楽曲を、電話回線を利用して、電話音声として、あるいは、メールの添付ファイルとして送信して、遠距離の通話相手の携帯電話機にて再生させて、通話相手と同時に楽曲を楽しむことができたり、さらには、通話相手側も、当該短距離無線通信方式に対応するオーディオ機器と携帯電話機という同じ環境を備えていれば、通話相手のオーディオ機器によって手軽に再生させたりすることができる。
【発明を実施するための最良の形態】
【００１１】
以下、本発明による楽曲データ配信システムおよび楽曲データ配信方法の好適な実施例について添付図を参照して説明する。
【００１２】
（本発明の特徴）
本発明の実施形態の説明に先立って、本発明の特徴についてその概要をまず説明する。従来技術においては、前記特許文献１や特許文献２のように、Ｂｌｕｅｔｏｏｔｈ通信機能に代表される短距離無線通信機能を搭載した車載用音声機器つまりオーディオ機器を介して車内での携帯電話機のハンズフリー通話を実現していたが、本発明は、逆に、オーディオ機器（音響機器）によって再生される種々の楽曲をＢｌｕｅｔｏｏｔｈ通信方式のような短距離無線通信方式を介して携帯電話機に転送し、該携帯電話機から電話回線を利用して遠距離の通話相手の携帯電話機やオーディオ機器に配信することによって、遠隔地の通話相手にも同じ楽曲を聴かせることを可能とする点に特徴がある。
【００１３】
以下の実施形態の説明においては、短距離無線通信方式としてＢｌｕｅｔｏｏｔｈ通信方式を用いる場合を例にとって説明する。ここで、オーディオ機器と携帯電話機との間で楽曲データをＢｌｕｅｔｏｏｔｈ通信方式により転送する際には、例えば、Ｂｌｕｅｔｏｏｔｈ  ＡＶプロファイルとして規格化されているＡ２ＤＰ（Advanced  Audio  Distribution  Profile：楽曲配信に関する通信規約）、ＡＶＲＣＰ（Audio/Video  Remote  Control  Profile：リモート機器制御に関する通信規約）に準拠して行う。
【００１４】
（第１の実施形態）
本発明による第１の実施形態のシステム構成について、図１を用いて説明する。図１は、本発明による楽曲データ配信システムの第１の実施形態のシステム構成を示すシステム構成図である。図１の楽曲データ配信システム１００は、従来技術における図４の場合と同様、オーディオ機器１０とＢｌｕｅｔｏｏｔｈ通信方式１ａを用いて無線接続された携帯電話機１が電話回線によって遠隔地の携帯電話機２と接続されて構成されている。
【００１５】
オーディオ機器１０は、ＣＤ、ＤＶＤ、ＭＤあるいはカセットテープなどの楽曲記録媒体から楽曲データを取得して、あるいは、ＡＭ／ＦＭラジオ放送を受信して、スピーカ１２から再生出力する機能を少なくとも有している。
【００１６】
さらに、オーディオ機器１０には、Ｂｌｕｅｔｏｏｔｈ通信規格に準拠した無線通信を行う通信ポート１１が備えられており、該通信ポート１１を介して、近傍に存在する携帯電話機１などと無線接続することができ、該携帯電話機１に対して楽曲データをＡ２ＤＰやＡＶＲＣＰなどのＢｌｕｅｔｏｏｔｈ  ＡＶプロファイルを用いて転送することができる。
【００１７】
また、オーディオ機器１０には、Ｂｌｕｅｔｏｏｔｈ通信方式に基づいて、近傍に存在する携帯電話機１を自動的に検出する機器検出部１０ａ、機器検出部１０ａにて検出した携帯電話機１があらかじめ登録されている携帯電話機であるか否かを照合する機器照合部１０ｂ、機器照合部１０ｂによりあらかじめ登録されている携帯電話機であることを識別した場合に楽曲記録媒体からの楽曲データやＡＭ／ＦＭラジオ放送の放送内容を、Ｂｌｕｅｔｏｏｔｈ通信方式により無線接続された携帯電話機１へ転送する楽曲データ転送部１０ｃを少なくとも備えている。
【００１８】
ここで、機器照合部１０ｂにて照合するために登録されている携帯電話機に関する情報として、携帯電話機１に関するＢＤアドレス（Ｂｌｕｅｔｏｏｔｈ  Ｄｅｖｉｃｅ  Ａｄｄｒｅｓｓ）、機器種別情報が少なくとも登録されており、機器検出部１０ａにより検出された携帯電話機から返送されてくるＢＤアドレス、機器種別情報と照合することを可能としている。
【００１９】
なお、ここでは、オーディオ機器１０として、音声情報のみを扱う場合を示しているが、本発明は、オーディオ機器１０の代わりに、ビデオ情報も扱うことができるＡＶ機器を用いるようにしても構わなく、かかる場合には、楽曲データ転送部１０ｃではなく、楽曲データの代わりに、ＡＶデータを携帯電話機１へ転送するＡＶデータ転送部を備えることになる。
【００２０】
また、携帯電話機１は、電話回線によって、離れた通信相手の携帯電話機２や固定電話機との間、あるいは、情報端末との間で、通話したり情報を送受信したりする機能の他に、Ｂｌｕｅｔｏｏｔｈ通信方式による近距離の無線通信機能を有しており、Ｂｌｕｅｔｏｏｔｈ通信方式により無線接続されたオーディオ機器１０の機器検出部１０ａからの探索情報を受信した際に、当該携帯電話機１のＢＤアドレス、機器種別情報等の機器に関する情報を返送する機器情報返送部１ｂ、オーディオ機器１０から転送されてくる楽曲データを受け取って、電話回線を用いて接続されている通信相手の携帯電話機２や固定電話機あるいは情報端末に配信する楽曲データ受信配送部１ｃを備えている。
【００２１】
ここで、楽曲データ受信配送部１ｃは、通信相手の携帯電話機２などに楽曲データを配信する際に、電話音声信号として送信するようにしても良いし、あるいは、音声ファイル（楽曲データファイル）として例えばメールに添付して配信するようにしても良い。また、Ｂｌｕｅｔｏｏｔｈ通信方式により、楽曲データではなく、ＡＶデータを受け取る場合には、楽曲データ受信配送部１ｃではなく、ＡＶデータを受け取って配信するか、あるいは、ＡＶデータファイルとして例えばメールに添付して配信するＡＶデータ受信配信部を備えることになる。
【００２２】
また、ここでは、オーディオ機器１０に無線接続する機器（携帯端末）として、携帯電話機１を用いる場合について示しているが、遠隔地の通信端末と通信回線によって接続可能な携帯端末であれば如何なる形態のものであっても良く、ＰＨＳ（Personal  Handy-Phone  System）端末、ＰＤＡ（Personal  Digital  Assistants：携帯情報端末）、携帯音楽プレーヤ、携帯ノートＰＣ（Personal  Computer）などであっても構わない。
【００２３】
遠隔地にある通信相手の携帯電話機２は、通常の一般的な携帯電話機で良く、電話回線を介して携帯電話機１から配信されてくる楽曲データを再生して図示していない内蔵スピーカから出力する機能を有している。なお、電話回線により接続される遠隔地の通信機器として、本実施形態においては、携帯電話機２の場合を示しているが、遠隔地の該通信機器についても、楽曲配信元の携帯電話機１の場合と同様、ＰＨＳ端末、ＰＤＡ、携帯音楽プレーヤ、携帯ノートＰＣなどであっても良いし、あるいは、固定電話機であっても良い。
【００２４】
次に、図１のようなシステム構成の楽曲データ配信システム１００の動作について、図２のフローチャートを用いてさらに説明する。図２は、図１の楽曲データ配信システム１００の動作の一例を示すフローチャートであり、ステップＳ１〜Ｓ５は、オーディオ機器１０側の動作を、ステップＳ１１〜Ｓ１５は、携帯電話機１側の動作を示している。
【００２５】
まず、オーディオ機器１０側の動作について説明する。図１のオーディオ機器１０の電源をオンにすると、図２のフローチャートが起動され、オーディオ機器１０の機器検出部１０ａにより、近傍に存在している機器を探索する探索用の信号が、Ｂｌｕｅｔｏｏｔｈ通信方式１ａに準拠する通信ポート１１から送信される（ステップＳ１）。オーディオ機器１０の近傍に存在している機器から、該探索用の信号に応答した応答パケットを受信すると、オーディオ機器１０の機器照合部１０ｂは、該応答パケットに含まれているＢＤアドレス、機器種別情報を抽出して、楽曲データ転送用の携帯電話機としてあらかじめ登録されている携帯電話機１のＢＤアドレス、機器種別情報と合致しているか否かを照合する（ステップＳ２）。
【００２６】
あらかじめ登録されている情報と合致せず、楽曲データ転送用の携帯電話機として登録済みの携帯電話機１を検知していない場合には（ステップＳ２のＮｏ）、ステップＳ１に戻って、近傍に存在する機器の探索動作を繰り返す。
【００２７】
あらかじめ登録されている情報と合致し、登録済みの携帯電話機１を検知した場合には（ステップＳ２のＹｅｓ）、当該携帯電話機１へ楽曲データを転送する転送形式を確認する（ステップＳ３）。携帯電話機１から、電話回線の通信相手に対して、音声データファイル（楽曲データファイル）を添付したメールとして配信する旨が設定されていた場合には、楽曲データの携帯電話機１への転送形式が、音声データファイル（楽曲データファイル）として登録されている場合であり（ステップＳ３の「音声データ」の場合）、スピーカ１２から再生出力される楽曲をあらかじめ定めた符号化方式で符号化した音声データファイル（楽曲データファイル）として、楽曲データ転送部１０ｃにより携帯電話機１へ転送する（ステップＳ４）。
【００２８】
一方、携帯電話機１から、電話回線の通信相手に対して、電話音声として配信する旨が設定されていた場合には、楽曲データの携帯電話機１への転送形式が、再生音声（音声信号）として登録されている場合であり（ステップＳ３の「再生音声」の場合）、スピーカ１２から再生出力されている楽曲をそのまま再生音声（音声信号）として、楽曲データ転送部１０ｃにより携帯電話機１へ転送する（ステップＳ５）。
【００２９】
次に、携帯電話機１側の動作について説明する。携帯電話機１を用いて、遠隔の携帯電話機２と電話回線により通話する利用者が、楽曲を再生しようとしているオーディオ機器１０の近傍にまで移動して、オーディオ機器の電源をオンにすることにより、当該携帯電話機１がオーディオ機器１０から機器探索用の信号を受信すると（ステップＳ１１のＹｅｓ）、機器情報返送部１ｂにより、当該携帯電話機１のＢＤアドレス、機器種別情報等の当該機器に関する情報を少なくとも含む応答パケットを作成して、オーディオ機器１０へ返送する（ステップＳ１２）。
【００３０】
しかる後、当該携帯電話機１は、あらかじめ設定登録されている楽曲の転送形式として、遠隔の携帯電話機２に対して、オーディオ機器１０が再生中の楽曲をそのまま電話音声として配信しようとしているか、メールの添付ファイルとして配信しようとしているかによって、異なる動作を行う。つまり、再生中の楽曲をそのまま電話音声として配信しようとしている場合には（ステップＳ１３のＮｏ）、オーディオ機器１０の通信ポートからの音声情報をそのまま音声信号として電話回線の接続ポートに重畳させて配信するような接続経路を形成して、オーディオ機器１０から転送されてくる再生音声（楽曲）を、電話回線を介して、遠隔の携帯電話機２へ配信する。
【００３１】
一方、オーディオ機器１０にて再生中の楽曲を音声データファイル（楽曲データファイル）としてメールに添付して配信しようとしている場合には（ステップＳ１３のＹｅｓ）、オーディオ機器１０の通信ポートから転送されてきた音声データファイル（楽曲データファイル）を、メールの添付ファイルとして編集して（ステップＳ１４）、送信相手の携帯電話機２のメールアドレス宛に配信する（ステップＳ１５）。ここで、メールの送信相手は、携帯電話機１の通話相手として電話回線で接続されている携帯電話機２のみに限るものではなく、携帯電話機１にあらかじめ設定登録されている送信相手であっても構わない。
【００３２】
携帯電話機１からの楽曲を電話音声として、あるいは、メールの添付ファイルとして受け取った携帯電話機２側においては、受け取った楽曲を、携帯電話機２に内蔵のスピーカやイヤホンから再生出力する。
【００３３】
以上のような動作を行うことにより、利用者は、オーディオ機器１０にて再生させたい楽曲ソースを選択し、オーディオ機器１０とＢｌｕｅｔｏｏｔｈ通信方式１ａにて無線接続された携帯電話機１を介して、選択した楽曲を聴かせたい相手の携帯電話機２に電話をかけることにより、遠距離の相手であっても、同時に離れた場所で同じ楽曲を互いに楽しむことが可能となる。
【００３４】
（第２の実施形態）
次に、本発明による第２の実施形態のシステム構成について、図３を用いて説明する。図３は、本発明による楽曲データ配信システムの第２の実施形態のシステム構成を示すシステム構成図である。図３の楽曲データ配信システム１０１は、図１の場合と同様、オーディオ機器１０とＢｌｕｅｔｏｏｔｈ通信方式１ａを用いて無線接続された携帯電話機１が電話回線によって遠隔地の携帯電話機２と接続されて構成されているが、さらに、本実施形態においては、遠隔地の携帯電話機２に、携帯電話機１側と同様に、Ｂｌｕｅｔｏｏｔｈ通信方式１ａを用いて無線接続されたオーディオ機器２０が接続されている場合を示している。
【００３５】
図３の楽曲データ配信システム１０１の場合、楽曲データの配信元となるオーディオ機器１０、携帯電話機１側の動作は、図１の楽曲データ配信システム１００にて説明した図２のフローチャートと同様の楽曲の配信動作を行う。一方、Ｂｌｕｅｔｏｏｔｈ通信方式にてオーディオ機器２０が無線接続されている楽曲配信先の携帯電話機２側においては、携帯電話機１から電話回線を介して配信されてきた楽曲を受け取ると、当該携帯電話機２に内蔵のスピーカなどから再生出力することもできるが、さらに、無線接続されているオーディオ機器２０の通信ポート２１に対して、Ｂｌｕｅｔｏｏｔｈ通信方式準拠の無線信号として、携帯電話機１から受け取った楽曲を転送して、オーディオ機器２０のスピーカ２２から再生出力することができる。
【００３６】
かくのごとく、本実施形態においては、配信元の携帯電話機１、オーディオ機器１０と同様の環境を、配信先に、携帯電話機２、オーディオ機器２０として備えることによって、遠隔の配信先のオーディオ機器２０において、配信元のオーディオ機器１０のスピーカ１２から再生出力している楽曲と同じ楽曲ソースの楽曲を、手軽に音質や音量を調整してスピーカ２２から再生出力することが可能となる。
【００３７】
以上の各実施形態にて説明したように、Ｂｌｕｅｔｏｏｔｈ通信方式に対応するオーディオ機器と携帯電話機とがあれば、電話回線を利用して、現在鑑賞している楽曲を携帯電話機にて通話している通話相手の携帯電話機や固定電話機に対して配信して、遠距離の通話相手と同時に同じ楽曲ソースの楽曲を楽しむことができ、さらに、通話相手側にも配信元と同様にＢｌｕｅｔｏｏｔｈ通信方式に対応するオーディオ機器と携帯電話機とが備えられている環境であれば、通話相手のオーディオ機器を用いて手軽に再生させることができる。
【００３８】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【図面の簡単な説明】
【００３９】
【図１】本発明による楽曲データ配信システムの第１の実施形態のシステム構成を示すシステム構成図である。
【図２】図１の楽曲データ配信システム１００の動作の一例を示すフローチャートである。
【図３】本発明による楽曲データ配信システムの第２の実施形態のシステム構成を示すシステム構成図である。
【図４】Ｂｌｕｅｔｏｏｔｈ通信方式を用いた従来の通信形態の一例を示す接続構成図である。
【図５】Ｂｌｕｅｔｏｏｔｈ通信方式を用いた従来の通信形態の他の例を示す接続構成図である。
【符号の説明】
【００４０】
１      携帯電話機
１ａ    Ｂｌｕｅｔｏｏｔｈ通信方式
１ｂ    機器情報返送部
１ｃ    楽曲データ受信配送部
２      携帯電話機
１０    オーディオ機器
１０ａ  機器検出部
１０ｂ  機器照合部
１０ｃ  楽曲データ転送部
１１    通信ポート
１２    スピーカ
２０    オーディオ機器
２１    通信ポート
２２    スピーカ
４０    車載機
４０Ａ  オーディオ機器
４１    通信ポート
４２    スピーカ
４３    マイク
４４    表示部
５０    オーディオ機器
１００  楽曲データ配信システム
１０１  楽曲データ配信システム
【図１】
2010032941.tif 000003
【図２】
2010032941.tif 000004
【図３】
2010032941.tif 000005
【図４】
2010032941.tif 000006
【図５】
2010032941.tif 000007